(57)【特許請求の範囲】
【請求項１】
Ｘ線撮影装置における天板に、前記天板の左右両端に対応する位置に一対配設された装着部により装着される踏み台であって、
前記装着部は、
前記天板に形成された固定用凹部と係合可能なピンを備え、前記ピンが前記固定用凹部と係合する係合位置と、前記ピンが前記固定用凹部から離隔する離隔位置との間を移動可能な固定部材と、
前記係合位置に配置された前記固定部材が当該係合位置から前記離隔位置へ移動することを規制する規制位置と、前記固定部材が前記係合位置と前記離隔位置との間で移動することを許容する退避位置との間を移動可能であるとともに、互いに色またはパターンが異なる一対の表示領域が形成された移動規制部材と、
前記移動規制部材の規制位置と退避位置との間の移動に伴って、前記一対の表示領域のいずれか一方のみを外部から視認可能とするロック状態表示窓と、
を備えたことを特徴とするＸ線撮影装置の踏み台。
【請求項２】
請求項１に記載のＸ線撮影装置の踏み台において、
前記固定部材は、前記係合位置と前記離隔位置との間を揺動可能な構成を有し、第１のバネにより前記係合位置方向に向けて付勢されるとともに、
前記移動規制部材は、前記固定部材が離隔位置に移動したときに前記固定部材が配置される領域と重複する規制位置と、前記固定部材が離隔位置に移動したときに前記固定部材が配置される領域から離隔した領域である退避位置との間を揺動可能な構成を有し、第２のバネにより前記規制位置に向けて付勢されているＸ線撮影装置の踏み台。
【請求項３】
請求項２に記載のＸ線撮影装置の踏み台において、
前記固定部材および前記移動規制部材を収納するケーシングを備え、
前記ロック状態表示窓は、前記ケーシングにおける前記移動規制部材の一対の表示領域の揺動領域に対応する領域に形成された孔部であるＸ線撮影装置の踏み台。
【発明の詳細な説明】
【技術分野】
【０００１】
この発明は、Ｘ線撮影装置の踏み台に関する。
【背景技術】
【０００２】
Ｘ線透視撮影台等のＸ線撮影装置においては、被検者が起立する踏み台が使用される。この踏み台は、Ｘ線撮影装置の天板の側面に形成された凹部に、ピンを利用して固定されている（特許文献１参照）。
【先行技術文献】
【特許文献】
【０００３】
【特許文献１】実開昭５９−１５６６０７号公報
【発明の概要】
【発明が解決しようとする課題】
【０００４】
Ｘ線透視撮影台等のＸ線撮影装置においては、天板を水平方向から立位あるいは逆傾と角度を変化させる必要がある。このため、踏み台の天板に対する固定が不十分であると、検査中に患者が踏み台から落下する可能性があることから、それらの固定状況を確実に確認する必要がある。このため、従来においては、オペレータが踏み台を左右に揺するなどして、踏み台の固定状況を確認するようにしているが、踏み台の固定状況はそのような操作では解りにくいというのが実情であった。
【０００５】
この発明は上記課題を解決するためになされたものであり、その固定状況を確実に認識することが可能なＸ線撮影装置の踏み台を提供することを目的とする。
【課題を解決するための手段】
【０００６】
請求項１に記載の発明は、Ｘ線撮影装置における天板に、前記天板の左右両端に対応する位置に一対配設された装着部により装着される踏み台であって、前記装着部は、前記天板に形成された固定用凹部と係合可能なピンを備え、前記ピンが前記固定用凹部と係合する係合位置と、前記ピンが前記凹部から離隔する離隔位置との間を移動可能な固定部材と、前記係合位置に配置された前記固定部材が当該係合位置から前記離隔位置へ移動することを規制する規制位置と、前記固定部材が前記係合位置と前記離隔位置との間で移動することを許容する退避位置との間を移動可能であるとともに、互いに色またはパターンが異なる一対の表示領域が形成された移動規制部材と、前記移動規制部材の規制位置と退避位置との間の移動に伴って、前記一対の表示領域のいずれか一方のみを外部から視認可能とするロック状態表示窓とを備えたことを特徴とする。
【０００７】
請求項２に記載の発明は、請求項１に記載の発明において、前記固定部材は、前記係合位置と前記離隔位置との間を揺動可能な構成を有し、第１のバネにより前記係合一方向に付勢されるとともに、前記移動規制部材は、前記固定部材が離隔位置に移動したときに前記固定部材が配置される領域と重複する規制位置と、前記固定部材が離隔位置に移動したときに前記固定部材が配置される領域から離隔した領域である退避位置との間を揺動可能な構成を有し、第２のバネにより前記規制位置に向けて付勢されている。
【０００８】
請求項３に記載の発明は、請求項２に記載の発明において、前記固定部材および前記移動規制部材を収納するケーシングを備え、前記ロック状態表示窓は、前記ケーシングにおける前記移動規制部材の一対の表示領域の揺動領域に対応する領域に形成された孔部である。
【発明の効果】
【０００９】
請求項１乃至請求項３に記載の発明によれば、固定部材が係合位置に配置され、移動規制部材が規制位置に配置された状態において、ロック状態表示窓に対して一対の表示領域のうちの、いずれか一方の表示領域が表示されることになる。このため、ロック状態表示窓にいずれの表示領域が視認されるかにより、ロック状態を確認することができ、踏み台を確実に天板に固定することが可能となる。
【図面の簡単な説明】
【００１０】
【図１】この発明を適用するＸ線検査装置の概要図であり、テーブル１３が臥位位置に配置されたときの正面図である。
【図２】この発明を適用するＸ線検査装置の概要図であり、テーブル１３が立位位置に配置されたときの正面図である。
【図３】この発明を適用するＸ線検査装置の概要図であり、テーブル１３が立位位置に配置されたときの側面図である。
【図４】踏み台３０の正面図である。
【図５】踏み台３０を天板１３とともに示す平面図である。
【図６】踏み台３０を天板１３とともに示す側面図である。
【図７】装着部４０の概要図である。
【図８】装着部４０の概要図である。
【図９】移動規制部材４３の正面図である。
【発明を実施するための形態】
【００１１】
以下、この発明の実施の形態を図面に基づいて説明する。図１乃至図３は、この発明を適用するＸ線検査装置の概要図である。なお、図１は、テーブル１３が臥位位置に配置されたときのＸ線検査装置の正面図である。また、図２は、テーブル１３が立位位置に配置されたときのＸ線検査装置の正面図である。さらに、図３は、テーブル１３が立位位置に配置されたときのＸ線検査装置の側面図である。
【００１２】
このＸ線検査装置は、Ｘ線透視撮影台と呼称されるものであり、天板１３と、この天板１３に連結されたスライドアーム１５と、このスライドアーム１５の先端に配設されたＸ線管１１と、天板１３に対してＸ線管１１の逆側に配設されたＸ線検出器としてのフラットパネルディテクタ１２とを備える。スライドアーム１５には、必要に応じ被検者の診断部位を圧迫するための圧迫筒機構２０が配設されている。また、天板１３には、この発明に係る踏み台３０が固定されている。
【００１３】
これらの天板１３、スライドアーム１５およびＸ線管１１は、図示しないモータを内蔵した回転機構１６の作用により、図１に示す、天板１３の表面が水平方向を向く臥位位置と、図２および図３に示す、天板１３の表面が鉛直方向を向く立位位置との間を回動可能となっている。また、回動機構１６自体は、ベースプレート１８上に立設された主支柱１７に対して昇降可能となっている。
【００１４】
天板１３が臥位位置にあるときには、臥位状態の被検者に対して透視あるいは撮影が行われる。このときには、被検者は天板１３上に載置される。また、天板１３が立位位置にあるときには、立位状態の被検者に対して透視あるいは撮影が行われる。また、天板１３の角度を変更しながら撮影を行うときには、被検者は天板１３に固定された踏み台３０上に起立する。そして、被検者を天板１３に乗せたままの状態で、天板１３の角度が変更される。踏み台３０は、図１に示すように、天板１３が臥位位置にある状態で天板１３に対して着脱が行われる。なお、臥位状態の被検者に対して透視あるいは撮影を実行するときには、踏み台３０は天板１３から取り外される。
【００１５】
次に、この発明に係る踏み台３０の構成について説明する。図４は、踏み台３０の正面図である。また、図５は、踏み台３０を天板１３とともに示す平面図である。さらに、図６は、踏み台３０を天板１３とともに示す側面図である。なお、図６においては、固定部材５２の向こう側にあるピン５１を実線で図示している。
【００１６】
この踏み台３０は、踏み板３１と、この踏み板３１の左右両側に配設された一対の装着部４０とを備える。各装着部４０は、後述するロック状態表示窓４８が穿設されたケーシング４１と、その先端にピン５１を備えた固定部材５２と、ケーシング４１に穿設された孔部４７内に配置された操作ピン４２とを備える。これらの一対の装着部４０は、天板１３に形成された複数の固定用凹部１４（図６参照）に対して固定部材５２の先端に配設されたピン５１を係合させることにより、踏み台３０全体を天板１３に装着する構成を有する。
【００１７】
次に、装着部４０の構成について説明する。図７および図８は、装着部４０の概要図である。なお、これらの図においては、（ａ）は平面から見た概要を示しており、（ｂ）は正面から見た概要を示している。また、これらの図には、ケーシング４１に形成された孔部４７およびロック状態表示窓４８を図示している。
【００１８】
この装着部４０は、上述したように、その先端にピン５１を備えた固定部材５２を有する。この固定部材５２は、軸５３を中心に揺動可能となっており、バネ５４の作用により図７（ａ）および図８（ａ）における時計回り方向に付勢されている。後述するように、この固定部材５２は、図７に示す離隔位置と図８に示す係合位置との間を揺動可能となっている。また、この装着部４０は、軸４４を中心に揺動可能な移動規制部材４３を備える。この移動規制部材４３は、バネ４６の作用により図７（ｂ）および図８（ｂ）における時計回り方向に付勢されている。後述するように、この移動規制部材４３は、図７に示す退避位置と図８に示す規制位置との間を揺動可能となっている。
【００１９】
図９は、移動規制部材４３の正面図である。
【００２０】
この移動規制部材４３には、上述した操作ピン４２が立設されている。また、この移動規制部材４３の端部には、互いに色またはパターンが異なる一対の表示領域１０１、１０２が形成されている。これらの表示領域１０１、１０２は、軸４４から互いに等しい距離だけ離隔した位置に配置されている。すなわち、これら一対の表示領域１０１、１０２は、軸４４を中心とした同心円状に配置されている。このため、移動規制部材４３が軸４４を中心として揺動することにより、これらの表示領域１０１、１０２は、その位置を互いに変更することが可能となっている。
【００２１】
なお、上述したロック状態表示窓４８と軸４４との距離は、表示領域１０１、１０２と軸４４との距離と同一となっている。すなわち、上述したロック状態表示窓４８は、ケーシング４１における移動規制部材４３の一対の表示領域１０１、１０２の揺動領域に対応する領域に形成された孔部から構成されている。
【００２２】
以上の構成を有する装着部４０においては、図７に示すように、操作ピン４２を操作することにより、移動規制部材４３をバネ４６による付勢力に抗して軸４４を中心として図７（ｂ）に示す反時計回り方向に揺動させて退避位置に移動させるとともに、固定部材５２をバネ５４による付勢力に抗して軸５３を中心として図７（ａ）に示す反時計回り方向に揺動させて離隔位置に移動させた状態とすることにより、踏み台３０を天板１３に装着し、あるいは、天板１３から取り外すことが可能となる。
【００２３】
この状態においては、図７(ｂ)に示すように、表示領域１０２がロック状態表示窓４８と対向する位置に配置される。このため、表示領域１０２のみが、ロック状態表示窓４８を介して外部から視認可能な状態となっている。
【００２４】
踏み台３０を天板１３に装着するときには、図８に示すように、固定部材５２を軸５３を中心として図７（ａ）に示す時計回り方向に揺動させて係合位置に移動させる。これにより、図５および図６に示すように、固定部材５２の先端に配設されたピン５１が天板１３に形成された固定用凹部１４に係合することにより、踏み台３０を天板１３に固定することが可能となる。
【００２５】
そして、操作ピン４２を操作することにより、移動規制部材４３を軸４４を中心として図７（ｂ）に示す時計回り方向に揺動させて規制位置に移動させる。これにより、図８に示すように、固定部材５２が離隔位置に移動したときに配置されるべき領域に、移動規制部材４３が配置されることになる。このため、規制位置に配置された移動規制部材４３の作用により、係合位置に配置された固定部材５２が、この係合位置から図７に示す離隔位置へ移動することを規制することが可能となる。
【００２６】
この状態においては、図８(ｂ)に示すように、表示領域１０１がロック状態表示窓４８と対向する位置に配置される。このため、表示領域１０１のみが、ロック状態表示窓４８を介して外部から視認可能な状態となっている。
【００２７】
以上のように、この装着部４０においては、固定部材５２の移動が規制されたロック状態においては、表示領域１０１がロック状態表示窓４８を介して外部から視認され、固定部材５２が移動可能な非ロック状態においては、表示領域１０２がロック状態表示窓４８を介して外部から視認される。このため、いずれの表示領域がロック状態表示窓４８から視認できるかにより、装着部４０のロック状態を容易に認識することが可能となる。
【００２８】
なお、表示領域１０１と表示領域１０２とは、例えば、緑と赤など、互いに異なり、かつ、容易に識別可能な色とすることが好ましい。また、ベタとハッチングなどのように、互いに異なるパターンとすることにより、色覚障害があるオペレータにもそれらを容易に認識しうるようにしてもよい。さらには、色とパターンの両方を異ならせるようにしてもよい。
【符号の説明】
【００２９】
１１ Ｘ線管
１２ フラットパネルディテクタ
１３ 天板
１４ 固定用凹部
１５ スライドアーム
１６ 回転機構
１７ 主支柱
１８ ベースプレート
３０ 踏み台
３１ 踏み板
４０ 装着部
４１ ケーシング
４２ 操作ピン
４３ 移動規制部材
４４ 軸
４５ 取付台
４６ バネ
４８ ロック状態表示窓
５３ 軸
５４ バネ
【図１】
0005549650.tif 000002
【図２】
0005549650.tif 000003
【図３】
0005549650.tif 000004
【図４】
0005549650.tif 000005
【図５】
0005549650.tif 000006
【図６】
0005549650.tif 000007
【図７】
0005549650.tif 000008
【図８】
0005549650.tif 000009
【図９】
0005549650.tif 000010